(57)【要約】本発明は、異なる無線通信方式間でのハンドオーバを行うことが可能な、ＭＴ−ＴＡ  Ｉｎｔｅｒｆａｃｅ仕様を採用する移動通信局、通信方法及び通信システムを提供することを目的とする。そして、上記目的を達成するために例えば、無線回線制御部（ＭＴＦ１）１が、対応する移動ネットワーク（ＮＷ１）７からハンドオーバ要求を受けた場合に、無線回線制御部（ＭＴＦ２）２が、対応する移動ネットワーク（ＮＷ２）８との間で通信を行って無線回線上のハンドオーバ処理を完了し、共通アダプタ部（ＴＡＦ）３が、無線回線制御部（ＭＴＦ２）２との間の通信に切り替える。
2005004353.tif 000002
【特許請求の範囲】
【請求項１】
ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）ＴＲ−Ｔ１２−２７．Ａ０２にて規定されるＭＴ−ＴＡ  Ｉｎｔｅｒｆａｃｅ仕様を採用する移動通信局であって、
複数のＭＴＦ（Ｍｏｂｉｌｅ  Ｔｅｒｍｉｎａｔｉｏｎ  Ｆｕｎｃｔｉｏｎ）（１，２）と、
ＨＭＩ（Ｈｕｍａｎ  Ｍａｃｈｉｎｅ  Ｉｎｔｅｒｆａｃｅ）を含むＴＥ（Ｔｅｒｍｉｎａｌ  Ｅｑｕｉｐｍｅｎｔ）（５）と前記複数のＭＴＦの各々との間のアダプタ部たるＴＡＦ（Ｔｅｒｍｉｎａｌ  Ａｄａｐｔａｔｉｏｎ  Ｆｕｎｃｔｉｏｎ）（３）と
を備え、
前記複数のＭＴＦはそれぞれ、異なる無線通信方式の無線回線制御部であり、
前記複数のＭＴＦの一つ（１）は、対応する回線網（７）からハンドオーバ要求（ＩＭ１）を受けた場合に、前記複数のＭＴＦの他の一つ（２）へのハンドオーバ処理を開始する旨を、前記複数のＭＴＦの前記他の一つ（２）および前記ＴＡＦ（３）に対して通知し（ＮＴ１，ＲＱ１）、
前記複数のＭＴＦの前記他の一つ（２）は、前記ハンドオーバ処理開始の通知（ＮＴ１）を受けて、対応する他の回線網（８）との間で通信を行って無線回線上のハンドオーバ処理を完了し（ＩＭ２ａ〜ＩＭ２ｄ，ＩＭ３）、前記無線回線上のハンドオーバ処理の完了を前記ＴＡＦ（３）に対して通知し（ＮＴ３）、
前記ＴＡＦは、前記ハンドオーバ処理開始の通知（ＲＱ１）を受けて、前記複数のＭＴＦの前記一つ（１）との間の通信を中断し（Ｓ３）、前記無線回線上のハンドオーバ処理の完了の通知（ＮＴ３）を受けて、前記複数のＭＴＦの前記他の一つ（２）との間の通信に切り替える（ＲＰ１，ＲＰ２，ＮＴ３，Ｓ５）
移動通信局。
【請求項２】
前記ハンドオーバ要求（ＩＭ１ａ）には、前記ＴＡＦ（３）と切替先たる前記他の回線網（８）との間における通信パラメータの情報が含まれ、
前記通信パラメータは、少なくとも前記ＴＡＦにおける音声ＣＯＤＥＣの種別または前記ＴＡＦと切替先たる前記他の回線網（８）との間における通信速度のいずれかの情報を含み、
前記複数のＭＴＦの前記一つ（１）は、前記通信パラメータの情報も前記ＴＡＦ（３）に対して通知し（ＮＴ１，ＲＱ１）、
前記ＴＡＦ（３）は、前記通信パラメータの情報に基づいて通信に関する設定を変更した上で（Ｓ３ａ，Ｓ５ａ）、前記複数のＭＴＦの前記他の一つ（２）との間の通信に切り替える（ＲＰ１，ＲＰ２，ＮＴ３）
請求の範囲１記載の移動通信局。
【請求項３】
前記無線回線上のハンドオーバ処理が完了せず、失敗したときには、前記複数のＭＴＦの前記他の一つ（２）は、前記複数のＭＴＦの前記一つ（１）に対してハンドオーバ処理失敗の通知（ＮＴ２ａ）を行い、
前記複数のＭＴＦの前記一つ（１）は、前記ハンドオーバ処理失敗の通知（ＮＴ２ａ）を受けて、対応する前記回線網（７）との間で通信を行って切り戻り処理を行い（Ｓ４ｂ）、
前記ＴＡＦは、前記複数のＭＴＦの前記一つ（１）から前記ハンドオーバ処理失敗の通知（ＮＴ３ａ）を受けて、前記複数のＭＴＦの前記一つ（１）との間の通信を再開する（Ｓ５）
請求の範囲１記載の移動通信局。
【請求項４】
ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）ＴＲ−Ｔ１２−２７．Ａ０２にて規定されるＭＴ−ＴＡ  Ｉｎｔｅｒｆａｃｅ仕様を採用する移動通信局（６）を用いた通信方法であって、
前記移動通信局には、
複数のＭＴＦ（Ｍｏｂｉｌｅ  Ｔｅｒｍｉｎａｔｉｏｎ  Ｆｕｎｃｔｉｏｎ）（１，２）と、
ＨＭＩ（Ｈｕｍａｎ  Ｍａｃｈｉｎｅ  Ｉｎｔｅｒｆａｃｅ）を含むＴＥ（Ｔｅｒｍｉｎａｌ  Ｅｑｕｉｐｍｅｎｔ）（５）と前記複数のＭＴＦの各々との間のアダプタ部たるＴＡＦ（Ｔｅｒｍｉｎａｌ  Ａｄａｐｔａｔｉｏｎ  Ｆｕｎｃｔｉｏｎ）（３）と
が含まれ、
前記複数のＭＴＦはそれぞれ、異なる無線通信方式の無線回線制御部であり、
（ａ）前記複数のＭＴＦの一つ（１）が、対応する回線網（７）からハンドオーバ要求（ＩＭ１）を受けた場合に、前記複数のＭＴＦの他の一つ（２）へのハンドオーバ処理を開始する旨を、前記複数のＭＴＦの前記他の一つ（２）および前記ＴＡＦ（３）に対して通知させる（ＮＴ１，ＲＱ１）工程と、
（ｂ）前記複数のＭＴＦの前記他の一つ（２）が、前記ハンドオーバ処理開始の通知（ＮＴ１）を受けた場合、対応する他の回線網（８）との間で通信を行って無線回線上のハンドオーバ処理を完了させ（ＩＭ２ａ〜ＩＭ２ｄ，ＩＭ３）、前記無線回線上のハンドオーバ処理の完了を前記ＴＡＦ（３）に対して通知させる（ＮＴ３）工程と、
（ｃ）前記ＴＡＦが、前記ハンドオーバ処理開始の通知（ＲＱ１）を受けた場合、前記複数のＭＴＦの前記一つ（１）との間の通信を中断させ（Ｓ３）、前記無線回線上のハンドオーバ処理の完了の通知（ＮＴ３）を受けた場合、前記複数のＭＴＦの前記他の一つ（２）との間の通信に切り替えさせる（ＲＰ１，ＲＰ２，ＮＴ３，Ｓ５）工程と
を備える通信方法。
【請求項５】
前記ハンドオーバ要求（ＩＭ１ａ）には、前記ＴＡＦ（３）と切替先たる前記他の回線網（８）との間における通信パラメータの情報が含まれ、
前記通信パラメータは、少なくとも前記ＴＡＦにおける音声ＣＯＤＥＣの種別または前記ＴＡＦと切替先たる前記他の回線網（８）との間における通信速度のいずれかの情報を含み、
前記複数のＭＴＦの前記一つ（１）は、前記通信パラメータの情報も前記ＴＡＦ（３）に対して通知し（ＮＴ１，ＲＱ１）、
前記ＴＡＦ（３）は、前記通信パラメータの情報に基づいて通信に関する設定を変更した上で（Ｓ３ａ，Ｓ５ａ）、前記複数のＭＴＦの前記他の一つ（２）との間の通信に切り替える（ＲＰ１，ＲＰ２，ＮＴ３）
請求の範囲４記載の通信方法。
【請求項６】
前記無線回線上のハンドオーバ処理が完了せず、失敗したときには、前記複数のＭＴＦの前記他の一つ（２）は、前記複数のＭＴＦの前記一つ（１）に対してハンドオーバ処理失敗の通知（ＮＴ２ａ）を行い、
前記複数のＭＴＦの前記一つ（１）は、前記ハンドオーバ処理失敗の通知（ＮＴ２ａ）を受けて、対応する前記回線網（７）との間で通信を行って切り戻り処理を行い（Ｓ４ｂ）、
前記ＴＡＦは、前記複数のＭＴＦの前記一つ（１）から前記ハンドオーバ処理失敗の通知（ＮＴ３ａ）を受けて、前記複数のＭＴＦの前記一つ（１）との間の通信を再開する（Ｓ５）
請求の範囲４記載の通信方法。
【請求項７】
ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）ＴＲ−Ｔ１２−２７．Ａ０２にて規定されるＭＴ−ＴＡ  Ｉｎｔｅｒｆａｃｅ仕様を採用する移動通信局（６）と、
回線網（７）と、
他の回線網（８）と
を含む通信システムであって、
前記移動通信局には、
複数のＭＴＦ（Ｍｏｂｉｌｅ  Ｔｅｒｍｉｎａｔｉｏｎ  Ｆｕｎｃｔｉｏｎ）（１，２）と、
ＨＭＩ（Ｈｕｍａｎ  Ｍａｃｈｉｎｅ  Ｉｎｔｅｒｆａｃｅ）を含むＴＥ（Ｔｅｒｍｉｎａｌ  Ｅｑｕｉｐｍｅｎｔ）（５）と前記複数のＭＴＦの各々との間のアダプタ部たるＴＡＦ（Ｔｅｒｍｉｎａｌ  Ａｄａｐｔａｔｉｏｎ  Ｆｕｎｃｔｉｏｎ）（３）と
が含まれ、
前記複数のＭＴＦはそれぞれ、異なる無線通信方式の無線回線制御部であり、
前記複数のＭＴＦの一つ（１）は、対応する前記回線網（７）からハンドオーバ要求（ＩＭ１）を受けた場合に、前起複数のＭＴＦの他の一つ（２）へのハンドオーバ処理を開始する旨を、前記複数のＭＴＦの前記他の一つ（２）および前記ＴＡＦ（３）に対して通知し（ＮＴ１，ＲＱ１）、
前記複数のＭＴＦの前記他の一つ（２）は、前記ハンドオーバ処理開始の通知（ＮＴ１）を受けて、対応する前記他の回線網（８）との間で通信を行って無線回線上のハンドオーバ処理を完了し（ＩＭ２ａ〜ＩＭ２ｄ，ＩＭ３）、前記無線回線上のハンドオーバ処理の完了を前記ＴＡＦ（３）に対して通知し（ＮＴ３）、
前記ＴＡＦは、前記ハンドオーバ処理開始の通知（ＲＱ１）を受けて、前記複数のＭＴＦの前記一つ（１）との間の通信を中断し（Ｓ３）、前記無線回線上のハンドオーバ処理の完了の通知（ＮＴ３）を受けて、前記複数のＭＴＦの前記他の一つ（２）との間の通信に切り替える（ＲＰ１，ＲＰ２，ＮＴ３，Ｓ５）
通信システム。
【請求項８】
前記ハンドオーバ要求（ＩＭ１ａ）には、前記ＴＡＦ（３）と切替先たる前記他の回線網（８）との間における通信パラメータの情報が含まれ、
前記通信パラメータは、少なくとも前記ＴＡＦにおける音声ＣＯＤＥＣの種別または前記ＴＡＦと切替先たる前記他の回線網（８）との間における通信速度のいずれかの情報を含み、
前記複数のＭＴＦの前記一つ（１）は、前記通信パラメータの情報も前記ＴＡＦ（３）に対して通知し（ＮＴ１，ＲＱ１）、
前記ＴＡＦ（３）は、前記通信パラメータの情報に基づいて通信に関する設定を変更した上で（Ｓ３ａ，Ｓ５ａ）、前記複数のＭＴＦの前記他の一つ（２）との間の通信に切り替える（ＲＰ１，ＲＰ２，ＮＴ３）
請求の範囲７記載の通信システム。
【請求項９】
前記無線回線上のハンドオーバ処理が完了せず、失敗したときには、前記複数のＭＴＦの前記他の一つ（２）は、前記複数のＭＴＦの前記一つ（１）に対してハンドオーバ処理失敗の通知（ＮＴ２ａ）を行い、
前記複数のＭＴＦの前記一つ（１）は、前記ハンドオーバ処理失敗の通知（ＮＴ２ａ）を受けて、対応する前記回線網（７）との間で通信を行って切り戻り処理を行い（Ｓ４ｂ）、
前記ＴＡＦは、前記複数のＭＴＦの前記一つ（１）から前記ハンドオーバ処理失敗の通知（ＮＴ３ａ）を受けて、前記複数のＭＴＦの前記一つ（１）との間の通信を再開する（Ｓ５）
請求の範囲７記載の通信システム。
【請求項１０】
複数の無線回線制御部（１５，１６）と、
音声ＣＯＤＥＣ（１０）を制御する音声通信制御部（１７）と
を備え、
前記複数の無線回線制御部（１５，１６）はそれぞれ、異なる無線通信方式の無線回線制御部であり、
前記複数の無線回線制御部の一つ（１５）は、対応する回線網（７）からハンドオーバ要求（ＩＭ１）を受けた場合に、前記複数の無線回線制御部の他の一つ（１６）へのハンドオーバ処理を開始する旨を、前記複数の無線回線制御部の前記他の一つ（１６）および前記音声通信制御部（１７）に対して通知し（ＮＴ１，ＲＱ１ａ）、
前記複数の無線回線制御部の前記他の一つ（１６）は、前記ハンドオーバ処理開始の通知（ＮＴ１）を受けて、対応する他の回線網（８）との間で通信を行って無線回線上のハンドオーバ処理を完了し（ＩＭ２ａ〜ＩＭ２ｄ，ＩＭ３）、
前記音声通信制御部（１７）は、前記ハンドオーバ処理開始の通知（ＲＱ１ａ）を受けて、前記複数の無線回線制御部の前記一つ（１５）と前記音声通信制御部（１７）との間の通信を中断し（Ｓ７）、かつ、前記音声ＣＯＤＥＣが音声を出力しないようミュート制御し（ＮＴ４，Ｓ８）、前記無線回線上のハンドオーバ処理が完了すれば、前記複数の無線回線制御部の前記他の一つ（１６）と前記音声通信制御部（１７）との間の通信に切り替え（ＲＰ１，ＲＰ２，ＮＴ３，Ｓ９）、かつ、前記音声ＣＯＤＥＣに対する前記ミュート制御を解除する（ＮＴ５，Ｓ１０）
移動通信局。
【請求項１１】
移動通信局（１１）を用いた通信方法であって、
前記移動通信局（１１）には、
複数の無線回線制御部（１５，１６）と、
音声ＣＯＤＥＣ（１０）を制御する音声通信制御部（１７）と
が含まれ、
前記複数の無線回線制御部（１５，１６）はそれぞれ、異なる無線通信方式の無線回線制御部であり、
（ａ）前記複数の無線回線制御部の一つ（１５）が、対応する回線網（７）からハンドオーバ要求（ＩＭ１）を受けた場合に、前記複数の無線回線制御部の他の一つ（１６）へのハンドオーバ処理を開始する旨を、前記複数の無線回線制御部の前記他の一つ（１６）および前記音声通信制御部（１７）に対して通知させる（ＮＴ１，ＲＱ１ａ）工程と、
（ｂ）前記複数の無線回線制御部の前記他の一つ（１６）が、前記ハンドオーバ処理開始の通知（ＮＴ１）を受けた場合に、対応する他の回線網（８）との間で通信を行って無線回線上のハンドオーバ処理を完了させる（ＩＭ２ａ〜ＩＭ２ｄ，ＩＭ３）工程と、
（ｃ）前記音声通信制御部（１７）が、前記ハンドオーバ処理開始の通知（ＲＱ１ａ）を受けた場合に、前記複数の無線回線制御部の前記一つ（１５）と前記音声通信制御部（１７）との間の通信を中断し（Ｓ７）、かつ、前記音声ＣＯＤＥＣが音声を出力しないようミュート制御し（ＮＴ４，Ｓ８）、前記無線回線上のハンドオーバ処理が完了すれば、前記複数の無線回線制御部の前記他の一つ（１６）と前記音声通信制御部（１７）との間の通信に切り替え（ＲＰ１，ＲＰ２，ＮＴ３，Ｓ９）、かつ、前記音声ＣＯＤＥＣに対する前記ミュート制御を解除させる（ＮＴ５，Ｓ１０）工程と
を備える通信方法。
【請求項１２】
移動通信局（１１）と、
回線網（７）と、
他の回線網（８）と
を含む通信システムであって、
前記移動通信局には、
複数の無線回線制御部（１５，１６）と、
音声ＣＯＤＥＣ（１０）を制御する音声通信制御部（１７）と
が含まれ、
前記複数の無線回線制御部（１５，１６）はそれぞれ、異なる無線通信方式の無線回線制御部であり、
前記複数の無線回線制御部の一つ（１５）は、対応する前記回線網（７）からハンドオーバ要求（ＩＭ１）を受けた場合に、前記複数の無線回線制御部の他の一つ（１６）へのハンドオーバ処理を開始する旨を、前記複数の無線回線制御部の前記他の一つ（１６）および前記音声通信制御部（１７）に対して通知し（ＮＴ１，ＲＱ１ａ）、
前記複数の無線回線制御部の前記他の一つ（１６）は、前記ハンドオーバ処理開始の通知（ＮＴ１）を受けて、対応する前記他の回線網（８）との間で通信を行って無線回線上のハンドオーバ処理を完了し（ＩＭ２ａ〜ＩＭ２ｄ，ＩＭ３）、
前記音声通信制御部（１７）は、前記ハンドオーバ処理開始の通知（ＲＱ１ａ）を受けて、前記複数の無線回線制御部の前記一つ（１５）と前記音声通信制御部（１７）との間の通信を中断し（Ｓ７）、かつ、前記音声ＣＯＤＥＣが音声を出力しないようミュート制御し（ＮＴ４，Ｓ８）、前記無線回線上のハンドオーバ処理が完了すれば、前記複数の無線回線制御部の前記他の一つ（１６）と前記音声通信制御部（１７）との間の通信に切り替え（ＲＰ１，ＲＰ２，ＮＴ３，Ｓ９）、かつ、前記音声ＣＯＤＥＣに対する前記ミュート制御を解除する（ＮＴ５，Ｓ１０）
通信システム。
【発明の詳細な説明】
【技術分野】  本発明は移動体通信に関し、特に、異なる無線通信方式間のハンドオーバに対応可能な移動通信局、通信方法及び通信システムに関する。
【背景技術】  下記の非特許文献１は、移動通信局の無線回線終端部たるＭＴ（Ｍｏｂｉｌｅ  Ｔｅｒｍｉｎａｔｉｏｎ）と移動通信局のアダプタ部たるＴＡ（Ｔｅｒｍｉｎａｌ  Ａｄａｐｔｏｒ）との論理インタフェース（ＭＴ−ＴＡ  Ｉｎｔｅｒｆａｃｅ）の仕様を規定する。なお、ＴＡは、表示ディスプレイやマイクロフォン等のＨＭＩ（Ｈｕｍａｎ  Ｍａｃｈｉｎｅ  Ｉｎｔｅｒｆａｃｅ）を含むＴＥ（Ｔｅｒｍｉｎａｌ  Ｅｑｕｉｐｍｅｎｔ）とＭＴとの間のアダプタとして機能する。
非特許文献１中の３．２．ＣｏｎｆｉｇｕｒａｔｉｏｎのＦｉｇｕｒｅ  ３．２−１  Ｃｏｎｆｉｇｕｒａｔｉｏｎ  ｏｆ  ＭＴ  ａｎｄ  ＴＡにおいては、移動通信局の構成例が示されている。この図においては、移動通信局の構成装置たるＭＥ（Ｍｏｂｉｌｅ  Ｅｑｕｉｐｍｅｎｔ）内に、ＴＡと同じくアダプタ機能を有するアダプタ部ＴＡＦ（ＴＡ  Ｆｕｎｃｔｉｏｎ）や、ユーザ認識機能を有するＵＩＭＦ（Ｕｓｅｒ  Ｉｄｅｎｔｉｔｙ  Ｍｏｄｕｌｅ  Ｆｕｎｃｔｉｏｎ）、ＭＴ等の各種機能ブロックが設けられている。なお、図中のＭＴ内には、無線回線制御部たるＭＴＦ（ＭＴ  Ｆｕｎｃｔｉｏｎ）が存在する。
さて、非特許文献１で規定されるＭＴ−ＴＡ  Ｉｎｔｅｒｆａｃｅ仕様では、異なる無線通信方式（例えば、旧世代方式たるＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）方式と、次世代方式たるＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）方式と）の無線回線制御部（ＭＴＦ）をそれぞれ移動通信局内に設けた場合に、異方式間ハンドオーバに関する手順（ｐｒｏｃｅｄｕｒｅ）およびＭＴ−ＴＡ  Ｉｎｔｅｒｆａｃｅにおけるメッセージ仕様が規定されていなかった。
よって、異方式の無線回線制御部（ＭＴＦ）を論理的または物理的に備えた、ＭＴ−ＴＡ  Ｉｎｔｅｒｆａｃｅ仕様を採用する移動通信局において、異方式間ハンドオーバができないという問題があった。
なお、非特許文献１で規定されるＭＴ−ＴＡ  Ｉｎｔｅｒｆａｃｅ仕様を適用しない、例えば下記非特許文献２で規定されるＲａｄｉｏ  Ｉｎｔｅｒｆａｃｅ  Ｐｒｏｔｏｃｏｌ  Ａｒｃｈｉｔｅｃｔｕｒｅが採用される移動通信局においても、異方式間ハンドオーバに関する手順およびメッセージ仕様は規定されていない。
一方、従来の異方式間ハンドオーバの技術を開示するものとして、下記の特許文献１が存在する。しかし、特許文献１に記載の技術は、非特許文献１で規定されるＭＴ−ＴＡ  Ｉｎｔｅｒｆａｃｅ仕様を採用する移動通信局における異方式間ハンドオーバを教示するものではない。また、特許文献１に記載の技術では、ハンドオーバ時の不快なノイズをユーザの耳に届けてしまうという点に関して、何ら対策は採られていなかった。
【非特許文献１】        ＡＲＩＢ  ＴＲ−Ｔ１２−２７．Ａ０２  Ｖ３．４．０  ＭＴ−ＴＡ  Ｉｎｔｅｒｆａｃｅ  Ｄｅｓｃｒｉｐｔｉｏｎ、インターネット＜ＵＲＬ：ｈｔｔｐ：／／ｗｗｗ．ａｒｉｂ．ｏｒ．ｊｐ／ＩＭＴ−２０００／Ｖ３３０Ｍａｒ０３／Ｔ１２／０＿Ｔ１２ｃｏｖｅｒＶ３３０．ｈｔｍｌ＞
【非特許文献２】        ３ＧＰＰ  ＴＳ２５．３０１  Ｖ５．２．０  Ｒａｄｉｏ  Ｉｎｔｅｒｆａｃｅ  Ｐｒｏｔｏｃｏｌ  Ａｒｃｈｉｔｅｃｔｕｒｅ、インターネット＜ＵＲＬ：ｈｔｔｐ：／／ｗｗｗ．３ｇｐｐ．ｏｒｇ／ｆｔｐ／Ｓｐｅｃｓ／ｈｔｍｌ−ｉｎｆｏ／２５３０１．ｈｔｍｌ＞
【特許文献１】        特開２００１−３６９３７号公報
【発明の開示】
本発明は、上記のような問題点を解決し、非特許文献１で規定されるＭＴ−ＴＡ  Ｉｎｔｅｒｆａｃｅ仕様を採用し、かつ、異なる無線通信方式間でのハンドオーバを行うことが可能な移動通信局、通信方法及び通信システムを提供するものである。
また、異方式間ハンドオーバ時の不快なノイズをユーザの耳に届けない移動通信局、通信方法及び通信システムをも提供する。
本発明に係る移動通信局の第１の態様は、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）ＴＲ−Ｔ１２−２７．Ａ０２にて規定されるＭＴ−ＴＡ  Ｉｎｔｅｒｆａｃｅ仕様を採用する移動通信局であって、複数のＭＴＦ（Ｍｏｂｉｌｅ  Ｔｅｒｍｉｎａｔｉｏｎ  Ｆｕｎｃｔｉｏｎ）と、ＨＭＩ（Ｈｕｍａｎ  Ｍａｃｈｉｎｅ  Ｉｎｔｅｒｆａｃｅ）を含むＴＥ（Ｔｅｒｍｉｎａｌ  Ｅｑｕｉｐｍｅｎｔ）と前記複数のＭＴＦの各々との間のアダプタ部たるＴＡＦ（Ｔｅｒｍｉｎａｌ  Ａｄａｐｔａｔｉｏｎ  Ｆｕｎｃｔｉｏｎ）とを備え、前記複数のＭＴＦはそれぞれ、異なる無線通信方式の無線回線制御部であり、前記複数のＭＴＦの一つは、対応する回線網からハンドオーバ要求を受けた場合に、前記複数のＭＴＦの他の一つへのハンドオーバ処理を開始する旨を、前記複数のＭＴＦの前記他の一つおよび前記ＴＡＦに対して通知し、前記複数のＭＴＦの前記他の一つは、前記ハンドオーバ処理開始の通知を受けて、対応する他の回線網との間で通信を行って無線回線上のハンドオーバ処理を完了し、前記無線回線上のハンドオーバ処理の完了を前記ＴＡＦに対して通知し、前記ＴＡＦは、前記ハンドオーバ処理開始の通知を受けて、前記複数のＭＴＦの前記一つとの間の通信を中断し、前記無線回線上のハンドオーバ処理の完了の通知を受けて、前記複数のＭＴＦの前記他の一つとの間の通信に切り替えることを特徴としている。
本発明に係る通信方法の第１の態様は、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）ＴＲ−Ｔ１２−２７．Ａ０２にて規定されるＭＴ−ＴＡ  Ｉｎｔｅｒｆａｃｅ仕様を採用する移動通信局を用いた通信方法であって、前記移動通信局には、複数のＭＴＦ（Ｍｏｂｉｌｅ  Ｔｅｒｍｉｎａｔｉｏｎ  Ｆｕｎｃｔｉｏｎ）と、ＨＭＩ（Ｈｕｍａｎ  Ｍａｃｈｉｎｅ  Ｉｎｔｅｒｆａｃｅ）を含むＴＥ（Ｔｅｒｍｉｎａｌ  Ｅｑｕｉｐｍｅｎｔ）と前記複数のＭＴＦの各々との間のアダプタ部たるＴＡＦ（Ｔｅｒｍｉｎａｌ  Ａｄａｐｔａｔｉｏｎ  Ｆｕｎｃｔｉｏｎ）とが含まれ、前記複数のＭＴＦはそれぞれ、異なる無線通信方式の無線回線制御部であり、（ａ）前記複数のＭＴＦの一つが、対応する回線網からハンドオーバ要求を受けた場合に、前記複数のＭＴＦの他の一つへのハンドオーバ処理を開始する旨を、前記複数のＭＴＦの前記他の一つおよび前記ＴＡＦに対して通知させる工程と、（ｂ）前記複数のＭＴＦの前記他の一つが、前記ハンドオーバ処理開始の通知を受けた場合、対応する他の回線網との間で通信を行って無線回線上のハンドオーバ処理を完了させ、前記無線回線上のハンドオーバ処理の完了を前記ＴＡＦに対して通知させる工程と、（ｃ）前記ＴＡＦが、前記ハンドオーバ処理開始の通知を受けた場合、前記複数のＭＴＦの前記一つとの間の通信を中断させ、前記無線回線上のハンドオーバ処理の完了の通知を受けた場合、前記複数のＭＴＦの前記他の一つとの間の通信に切り替えさせる工程とを備えることを特徴としている。
本発明に係る通信システムの第１の態様は、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）ＴＲ−Ｔ１２−２７．Ａ０２にて規定されるＭＴ−ＴＡ  Ｉｎｔｅｒｆａｃｅ仕様を採用する移動通信局と、回線網と、他の回線網とを含み、前記移動通信局には、複数のＭＴＦ（Ｍｏｂｉｌｅ  Ｔｅｒｍｉｎａｔｉｏｎ  Ｆｕｎｃｔｉｏｎ）と、ＨＭＩ（Ｈｕｍａｎ  Ｍａｃｈｉｎｅ  Ｉｎｔｅｒｆａｃｅ）を含むＴＥ（Ｔｅｒｍｉｎａｌ  Ｅｑｕｉｐｍｅｎｔ）と前記複数のＭＴＦの各々との間のアダプタ部たるＴＡＦ（Ｔｅｒｍｉｎａｌ  Ａｄａｐｔａｔｉｏｎ  Ｆｕｎｃｔｉｏｎ）とが含まれ、前記複数のＭＴＦはそれぞれ、異なる無線通信方式の無線回線制御部であり、前記複数のＭＴＦの一つは、対応する前記回線網からハンドオーバ要求を受けた場合に、前記複数のＭＴＦの他の一つへのハンドオーバ処理を開始する旨を、前記複数のＭＴＦの前記他の一つおよび前記ＴＡＦに対して通知し（ＮＴ１，ＲＱ１）、前記複数のＭＴＦの前記他の一つは、前記ハンドオーバ処理開始の通知を受けて、対応する前記他の回線網との間で通信を行って無線回線上のハンドオーバ処理を完了し、前記無線回線上のハンドオーバ処理の完了を前記ＴＡＦに対して通知し、前記ＴＡＦは、前記ハンドオーバ処理開始の通知を受けて、前記複数のＭＴＦの前記一つとの間の通信を中断し、前記無線回線上のハンドオーバ処理の完了の通知を受けて、前記複数のＭＴＦの前記他の一つとの間の通信に切り替えることを特徴としている。
本発明に係る移動通信局、通信方法及び通信システムの第１の態様によれば、複数のＭＴＦの一つが、対応する回線網からハンドオーバ要求を受けた場合に、複数のＭＴＦの他の一つが、対応する他の回線網との間で通信を行って無線回線上のハンドオーバ処理を完了し、ＴＡＦが、複数のＭＴＦの他の一つとの間の通信に切り替える。よって、ＭＴ−ＴＡ  Ｉｎｔｅｒｆａｃｅ仕様を採用する移動通信局において、異方式間でのハンドオーバを適切に行うことが可能となる。
本発明に係る移動通信局の第２の態様は、複数の無線回線制御部と、音声ＣＯＤＥＣを制御する音声通信制御部とを備え、前記複数の無線回線制御部はそれぞれ、異なる無線通信方式の無線回線制御部であり、前記複数の無線回線制御部の一つは、対応する回線網からハンドオーバ要求を受けた場合に、前記複数の無線回線制御部の他の一つへのハンドオーバ処理を開始する旨を、前記複数の無線回線制御部の前記他の一つおよび前記音声通信制御部に対して通知し、前記複数の無線回線制御部の前記他の一つは、前記ハンドオーバ処理開始の通知を受けて、対応する他の回線網との間で通信を行って無線回線上のハンドオーバ処理を完了し、前記音声通信制御部は、前記ハンドオーバ処理開始の通知を受けて、前記複数の無線回線制御部の前記一つと前記音声通信制御部との間の通信を中断し、かつ、前記音声ＣＯＤＥＣが音声を出力しないようミュート制御し、前記無線回線上のハンドオーバ処理が完了すれば、前記複数の無線回線制御部の前記他の一つと前記音声通信制御部との間の通信に切り替え、かつ、前記音声ＣＯＤＥＣに対する前記ミュート制御を解除することを特徴としている。
本発明に係る通信方法の第２の態様は、移動通信局を用いた通信方法であって、前記移動通信局には、複数の無線回線制御部と、音声ＣＯＤＥＣを制御する音声通信制御部とが含まれ、前記複数の無線回線制御部はそれぞれ、異なる無線通信方式の無線回線制御部であり、（ａ）前記複数の無線回線制御部の一つが、対応する回線網からハンドオーバ要求を受けた場合に、前記複数の無線回線制御部の他の一つへのハンドオーバ処理を開始する旨を、前記複数の無線回線制御部の前記他の一つおよび前記音声通信制御部に対して通知させる工程と、（ｂ）前記複数の無線回線制御部の前記他の一つが、前記ハンドオーバ処理開始の通知を受けた場合に、対応する他の回線網との間で通信を行って無線回線上のハンドオーバ処理を完了させる工程と、（ｃ）前記音声通信制御部が、前記ハンドオーバ処理開始の通知を受けた場合に、前記複数の無線回線制御部の前記一つと前記音声通信制御部との間の通信を中断し、かつ、前記音声ＣＯＤＥＣが音声を出力しないようミュート制御し、前記無線回線上のハンドオーバ処理が完了すれば、前記複数の無線回線制御部の前記他の一つと前記音声通信制御部との間の通信に切り替え、かつ、前記音声ＣＯＤＥＣに対する前記ミュート制御を解除させる工程とを備えることを特徴としている。
本発明に係る通信システムの第２の態様は、移動通信局と、回線網と、他の回線網とを含み、前記移動通信局には、複数の無線回線制御部と、音声ＣＯＤＥＣを制御する音声通信制御部とが含まれ、前記複数の無線回線制御部はそれぞれ、異なる無線通信方式の無線回線制御部であり、前記複数の無線回線制御部の一つは、対応する前記回線網からハンドオーバ要求を受けた場合に、前記複数の無線回線制御部の他の一つへのハンドオーバ処理を開始する旨を、前記複数の無線回線制御部の前記他の一つおよび前記音声通信制御部に対して通知し、前記複数の無線回線制御部の前記他の一つは、前記ハンドオーバ処理開始の通知を受けて、対応する前記他の回線網との間で通信を行って無線回線上のハンドオーバ処理を完了し、前記音声通信制御部は、前記ハンドオーバ処理開始の通知を受けて、前記複数の無線回線制御部の前記一つと前記音声通信制御部との間の通信を中断し、かつ、前記音声ＣＯＤＥＣが音声を出力しないようミュート制御し、前記無線回線上のハンドオーバ処理が完了すれば、前記複数の無線回線制御部の前記他の一つと前記音声通信制御部との間の通信に切り替え、かつ、前記音声ＣＯＤＥＣに対する前記ミュート制御を解除することを特徴としている。
本発明に係る移動通信局、通信方法及び通信システムの第２の態様によれば、複数の無線回線制御部の一つが、対応する回線網からハンドオーバ要求を受けた場合に、複数の無線回線制御部の他の一つが、対応する他の回線網との間で通信を行って無線回線上のハンドオーバ処理を完了する。そして、音声通信制御部は、音声ＣＯＤＥＣが音声を出力しないようミュート制御し、無線回線上のハンドオーバ処理が完了すれば、複数の無線回線制御部の他の一つと音声通信制御部との間の通信に切り替えて、音声ＣＯＤＥＣに対するミュート制御を解除する。よって、ハンドオーバ時の不快なノイズをユーザの耳に届けることがない。
この発明の目的、特徴、局面、および利点は、以下の詳細な説明と添付図面とによって、より明白となる。
【図面の簡単な説明】  図１は、この発明の実施の形態１に係る移動通信局が異方式間ハンドオーバを行う際のシーケンスフローを示す図である。
図２は、この発明の実施の形態１ないし３に係る移動通信局及び通信システムの構成を示す図である。
図３は、この発明の実施の形態１におけるＭＴＦ１の処理内容を示すフローチャートである。
図４は、この発明の実施の形態１におけるＭＴＦ２の処理内容を示すフローチャートである。
図５は、この発明の実施の形態１における共通ＴＡＦの処理内容を示すフローチャートである。
図６は、この発明の実施の形態２に係る移動通信局が異方式間ハンドオーバを行う際のシーケンスフローを示す図である。
図７は、この発明の実施の形態２におけるＭＴＦ１の処理内容を示すフローチャートである。
図８は、この発明の実施の形態２における共通ＴＡＦの処理内容を示すフローチャートである。
図９は、この発明の実施の形態３に係る移動通信局が異方式間ハンドオーバを行う際のシーケンスフローを示す図である。
図１０は、この発明の実施の形態３におけるＭＴＦ１の処理内容を示すフローチャートである。
図１１は、この発明の実施の形態３におけるＭＴＦ２の処理内容を示すフローチャートである。
図１２は、この発明の実施の形態３における共通ＴＡＦの処理内容を示すフローチャートである。
図１３は、この発明の実施の形態４に係る移動通信局及び通信システムの構成を示す図である。
図１４は、この発明の実施の形態４に係る移動通信局が異方式間ハンドオーバを行う際のシーケンスフローを示す図である。
図１５は、この発明の実施の形態４における音声ＣＯＤＥＣの処理内容を示すフローチャートである。
【発明を実施するための最良の形態】  実施の形態１．
本実施の形態は、非特許文献１に規定されたＭＴ−ＴＡ  Ｉｎｔｅｒｆａｃｅ仕様を採用する移動通信局、当該移動通信局を用いた通信方法、及び、当該移動通信局を含む通信システムであって、異なる無線通信方式のＭＴＦ間でのハンドオーバを行うことが可能なものである。
図１は、本実施の形態に係る移動通信局及び通信システムが異方式間ハンドオーバを行う際のシーケンスフローを示す図である。また、図２は、実施の形態１ないし３における移動通信局及び通信システムの構成を示した図である。
図２に示すように、移動通信局６は、第一の無線通信方式（例えば旧世代のＧＳＭ方式）の移動ネットワーク（ＮＷ１）７と、第二の無線通信方式（例えば次世代のＩＭＴ−２０００方式）の移動ネットワーク（ＮＷ２）８とに対し、それぞれの無線通信方式（＝無線アクセスシステム）の無線回線制御部（ＭＴＦ１，ＭＴＦ２）１，２を介して通信する。
なお、図１及び図２では、第一及び第二の二種類の無線アクセスシステムを図示しているが、これに限られず三種類以上の無線アクセスシステムのＭＴＦ及び移動ネットワークがあってもよい。
移動通信局６は、上記の無線回線制御部（ＭＴＦ１，ＨＴＦ２）１，２以外に、共通アダプタ部（ＴＡＦ）３と、その他の機能ブロック４と、ＴＥ（ＨＭＩ）５と、外部インタフェース２０とを含んでいる。ここで、ＴＥ（ＨＭＩ）５は、例えば携帯電話の操作盤やマイクロフォン装置、スピーカ等の人間の知覚へのインタフェースとなる装置を指す。また、外部インタフェース２０は、例えばパーソナルコンピュータ等の外部機器と移動通信局６とを接続するための、ＵＳＢ（Ｕｎｉｖｅｒｓａｌ  Ｓｅｒｉａｌ  Ｂｕｓ）等のインタフェースである。
無線回線制御部１及び無線回線制御部２は、共通アダプタ部（ＴＡＦ）３と協調して、それぞれの無線アクセスシステムの移動ネットワーク７，８と通信を行う。
移動通信局６に音声通信機能を持たせる場合、共通アダプタ部（ＴＡＦ）３内に音声ＣＯＤＥＣ１０を設ける。なお、図２では移動通信局６の中に一つの共通アダプタ部（ＴＡＦ）３を設けているが、複数の共通アダプタ部（ＴＡＦ）を設けるようにしてもよい。
さて、図１においては、共通アダプタ部（ＴＡＦ）３が、第一の無線アクセスシステムの無線回線制御部（ＭＴＦ１）１を介して第一の無線アクセスシステムの移動ネットワーク（ＮＷ１）７と通信中にある状態ＣＭ１ａ，ＣＭ１ｂから、第二の無線アクセスシステムの無線回線制御部（ＭＴＦ２）２を介して第二の無線アクセスシステムの移動ネットワーク（ＮＷ２）８へと異方式間ハンドオーバを行う場合を示している。
そして、図３は、図１のシーケンスフローにおける無線回線制御部（ＭＴＦ１）１の処理内容を示すフローチャートである。図４は、図１のシーケンスフローにおける無線回線制御部（ＭＴＦ２）２の処理内容を示すフローチャートである。図５は、図１のシーケンスフローにおける共通アダプタ部（ＴＡＦ）３の処理内容を示すフローチャートである。
次に、動作について説明する。
図１において切替元ＭＴＦである無線回線制御部（ＭＴＦ１）１が移動ネットワーク（ＮＷ１）７からハンドオーバを起動するための無線信号、例えば３ＧＰＰ  ＴＳ２５．３３１で規定されるＨＡＮＤＯＶＥＲ  ＦＲＯＭ  ＵＴＲＡＮ  ＣＯＭＭＡＮＤメッセージＩＭ１を受信すると、無線回線制御部（ＭＴＦ１）１はハンドオーバ処理を起動し、切替先の無線アクセスシステムの判定を行い、移動通信局内の切替先ＭＴＦ判別を行う（図１のステップＳ１及び図３のステップＳＴ０，ＳＴ１→ＳＴ２）。
続いて、無線回線制御部（ＭＴＦ１）１及び無線回線制御部（ＭＴＦ２）２間でハンドオーバ処理が開始される（図１のステップＳ２）。本実施の形態では、移動ネットワーク（ＮＷ２）８が含まれる第二の無線アクセスシステムに属する無線回線制御部（ＭＴＦ２）２が切替先ＭＴＦとなるため、無線回線制御部（ＭＴＦ１）１は、無線回線制御部（ＭＴＦ２）２に対してハンドオーバ開始通知メッセージＮＴ１を送信する（図３のステップＳＴ３）。
なお、無線回線制御部（ＭＴＦ１）１及び無線回線制御部（ＭＴＦ２）２が（物理的にでなく）論理的に移動通信局内に存在する場合（例えばＭＴＦ１及びＭＴＦ２がともに、一つのＣＰＵ（Ｃｅｎｔｒａｌ  Ｐｒｏｃｅｓｓｉｎｇ  Ｕｎｉｔ）上で動作するソフトウェアモジュールである場合など）は、無線回線制御部（ＭＴＦ１）１は、このハンドオーバ開始通知メッセージＮＴ１を送信せずにハンドオーバ開始を無線回線制御部（ＭＴＦ２）２に通知することも可能である。ソフトウェア上で、ハンドオーバ開始を無線回線制御部（ＭＴＦ１）１から無線回線制御部（ＭＴＦ２）２に通知することが可能だからである。
なお、無線回線制御部（ＭＴＦ１）１は、現在通信中である共通アダプタ部（ＴＡＦ）３に対して、切替先のＭＴＦ情報を含めたＭＴＦ切替要求メッセージＲＱ１を通知する（図３のステップＳＴ４）。また、切替元基地局との信号同期の確保や受信電界測定等のその他のハンドオーバ処理を行なう（図３のステップＳＴ５）。その他のハンドオーバ処理を行なった後は、ステップＳＴ１の判定処理に戻る。
切替先ＭＴＦである無線回線制御部（ＭＴＦ２）２が無線回線制御部（ＭＴＦ１）１からハンドオーバ開始通知メッセージＮＴ１を受信すると、無線回線制御部（ＭＴＦ２）２は、ハンドオーバ処理を開始し、移動ネットワーク（ＮＷ２）８に対して無線アクセスシステムを切り替えるための無線信号、例えば３ＧＰＰ  ＴＳ０４．１８で規定されるＨＡＮＤＯＶＥＲ  ＡＣＣＥＳＳメッセージＩＭ２ａ〜ＩＭ２ｄを送信する（図４のステップＳＴ２０、ＳＴ２１→ＳＴ２２）。
なお、３ＧＰＰ  ＴＳ０４．１８の規定ではこのメッセージを４回送信するため、図１ではＨＡＮＤＯＶＥＲ  ＡＣＣＥＳＳメッセージをＩＭ２ａ〜ＩＭ２ｄの４つ分示したが、メッセージ数は省略により少なくなる場合もある。また、ＨＡＮＤＯＶＥＲ  ＡＣＣＥＳＳメッセージＩＭ２ａ〜ＩＭ２ｄの送信後、その他のハンドオーバ処理ＣＭ２もなされる（図４のステップＳＴ２３）。その他のハンドオーバ処理を行なった後は、ステップＳＴ２１の判定処理に戻る。
無線回線制御部（ＭＴＦ２）２と移動ネットワーク（ＮＷ２）８との間でハンドオーバ処理が成功すると、ハンドオーバが完了したことを移動ネットワーク（ＮＷ２）８に通知するための無線信号、例えば３ＧＰＰ  ＴＳ０４．１８で規定されるＨＡＮＤＯＶＥＲ  ＣＯＭＰＬＥＴＥメッセージＩＭ３を無線回線制御部（ＭＴＦ２）２は送信する。さらに、無線回線制御部（ＭＴＦ２）２は、切替元ＭＴＦである無線回線制御部（ＭＴＦ１）１に対しても、無線回線上でのハンドオーバ処理が完了したことを通知するハンドオーバ完了通知メッセージＮＴ２を送信する（図４のステップＳＴ２４→ＳＴ２５）。そして、無線回線制御部（ＭＴＦ２）２は、ハンドオーバ処理完了時の諸設定の状態を記憶する。
なお、無線回線制御部（ＭＴＦ１）１及び無線回線制御部（ＭＴＦ２）２が（物理的にでなく）論理的に移動通信局内に存在する場合は、無線回線制御部（ＭＴＦ２）２は、このハンドオーバ完了通知メッセージＮＴ２を送信せずにハンドオーバ完了を無線回線制御部（ＭＴＦ１）１に通知することも可能である。ソフトウェア上で、ハンドオーバ完了を無線回線制御部（ＭＴＦ２）２から無線回線制御部（ＭＴＦ１）１に通知することが可能だからである。
無線回線制御部（ＭＴＦ１）１は、無線回線制御部（ＭＴＦ２）２からのハンドオーバ完了通知メッセージＮＴ２を受信して、その他のハンドオーバ処理を行なう。これにより、無線回線上でのハンドオーバ処理が完了する（図１のステップＳ４及び図３のステップＳＴ６→ＳＴ７，ＳＴ８）。その後は、ステップＳＴ１の判定処理に戻る。
共通アダプタ部（ＴＡＦ）３は、無線回線制御部（ＭＴＦ１）１からＭＴＦ切替要求メッセージＲＱ１を受信すると、このメッセージに含まれる切替先ＭＴＦの情報により、切替先ＭＴＦの判別を行うとともに、切替元ＭＴＦと共通アダプタ部（ＴＡＦ）３との間のユーザデータ（Ｕ−ｐｌａｎｅ）の通信を中断する（図１のステップＳ３および図５のステップＳＴ４０，ＳＴ４１→ＳＴ４２）。なお、ここでいうユーザデータとは、音声データやパケットデータのことを指す。
次に、共通アダプタ部（ＴＡＦ）３は、無線回線制御部（ＭＴＦ１）１に対してＭＴＦ切替応答メッセージＲＰ１を送信し、無線回線制御部（ＭＴＦ１）１に、切替先ＭＴＦである無線回線制御部（ＭＴＦ２）２に対してのＭＴＦ切替応答メッセージＲＰ２を送信させる（図５のステップＳＴ４３）。その後は、ステップＳＴ４１の判定処理に戻る。
無線回線制御部（ＭＴＦ１）１は、共通アダプタ部（ＴＡＦ）３からのＭＴＦ切替応答メッセージＲＰ１を受信して、切替先ＭＴＦである無線回線制御部（ＭＴＦ２）２に対してＭＴＦ切替応答メッセージＲＰ２を送信する（図３のステップＳＴ９→ＳＴ１０）。その後は、ステップＳＴ１の判定処理に戻る。
なお、本実施の形態では、共通アダプタ部（ＴＡＦ）３から送信されるＭＴＦ切替応答メッセージＲＰ１を無線回線制御部（ＭＴＦ１）１で受信し、無線回線制御部（ＭＴＦ１）１が中継して無線回線制御部（ＭＴＦ２）２にＭＴＦ切替応答メッセージＲＰ２を送信する例を示しているが、共通アダプタ部（ＴＡＦ）３から無線回線制御部（ＭＴＦ１）１および無線回線制御部（ＭＴＦ２）２の双方に対してＭＴＦ切替応答メッセージＲＰ１をブロードキャストしてもよい。
また、図３のステップＳＴ１，ＳＴ６，ＳＴ９のいずれにおいてもＮｏと判断された場合には、ハンドオーバに関係のないその他の処理（例えばユーザが電話発信操作をしたときのＭＴＦ１の電話発信処理など）を行なう（図３のステップＳＴ１１）。その後は、ステップＳＴ１の判定処理に戻る。
無線回線制御部（ＭＴＦ２）２と移動ネットワーク（ＮＷ２）８との間でハンドオーバ処理が完了し、かつ、共通アダプタ部（ＴＡＦ）３から無線回線制御部（ＭＴＦ１）１を中継して通知されたＭＴＦ切替応答メッセージＲＰ２を無線回線制御部（ＭＴＦ２）２が受信すると、無線回線制御部（ＭＴＦ２）２は共通アダプタ部（ＴＡＦ）３に対してハンドオーバ処理が完了したこと通知するためのＭＴＦ切替完了メッセージＮＴ３を送信する。そして、無線回線制御部（ＭＴＦ２）２でのシステム間ハンドオーバ処理を完了する（図４のステップＳＴ２６〜ＳＴ３１）。なお、ステップＳＴ２３，ＳＴ２７，ＳＴ３２，ＳＴ３３における「その他のハンドオーバ処理」とは、図３のステップＳＴ５，ＳＴ７と同様の処理を指し、ステップＳＴ３４における「その他の処理」とは、図３のステップＳＴ１１と同様の処理を指す。
共通アダプタ部（ＴＡＦ）３は、無線回線制御部（ＭＴＦ２）２からのＭＴＦ切替完了メッセージＮＴ３を受信すると、中断していたユーザデータ（Ｕ−ｐｌａｎｅ）の通信を切替先ＭＴＦである無線回線制御部（ＭＴＦ２）２との間で再開する（図１のステップＳ５及び図５のステップＳＴ４４→ＳＴ４５）。これにより、移動通信局６内でのハンドオーバ処理が完了する（図１のステップＳ６及び図５のステップＳＴ４６）。なお、図５のステップＳＴ４１，ＳＴ４４のいずれにおいてもＮｏと判断された場合には、ハンドオーバに関係のないその他の処理を行なう（図５のステップＳＴ４７）。その後は、ステップＳＴ４１の判定処理に戻る。
これにより、共通アダプタ部（ＴＡＦ）３が、第二の無線アクセスシステムの無線回線制御部（ＭＴＦ２）２を介して第二の無線アクセスシステムの移動ネットワーク（ＮＷ２）８と通信中にある状態ＣＭ３ａ，ＣＭ３ｂが実現される。
本実施の形態に係る移動通信局、通信方法及び通信システムによれば、無線回線制御部（ＭＴＦ１）１が、対応する移動ネットワーク（ＮＷ１）７からハンドオーバ要求を受けた場合に、無線回線制御部（ＭＴＦ２）２が、対応する移動ネットワーク（ＮＷ２）８との間で通信を行って無線回線上のハンドオーバ処理を完了し、共通アダプタ部（ＴＡＦ）３が、無線回線制御部（ＭＴＦ２）２との間の通信に切り替える。よって、ＭＴ−ＴＡ  Ｉｎｔｅｒｆａｃｅ仕様を採用する移動通信局において、異方式間でのハンドオーバを適切に行うことが可能となる。
実施の形態２．
本実施の形態は、実施の形態１に係る移動通信局、通信方法及び通信システムの変形例であって、ハンドオーバ処理に伴って、無線アクセスシステムと共通アダプタ部（ＴＡＦ）３との間で使用される通信パラメータ、例えば音声通信で使用される音声ＣＯＤＥＣの種別、通信速度などが変更される場合、そのパラメータ情報を共通アダプタ部（ＴＡＦ）３に通知する形態を示す。
図６は、本実施の形態でのシーケンスフロー図である。また、図７は図６で示したシーケンスフロー図において無線回線制御部（ＭＴＦ１）１の処理内容を示すフローチャートである。図８は図６に示したシーケンスフロー図において共通アダプタ部（ＴＡＦ）３の処理内容を示すフローチャートである。
図６において、切替元である無線回線制御部（ＭＴＦ１）１が移動ネットワーク（ＮＷ１）７からハンドオーバを起動するための無線信号、例えば３ＧＰＰ  ＴＳ２５．３３１で規定されるＨＡＮＤＯＶＥＲ  ＦＲＯＭ  ＵＴＲＡＮ  ＣＯＭＭＡＮＤメッセージＩＭ１ａを受信すると、無線回線制御部（ＭＴＦ１）１はハンドオーバ処理を起動し、切替先の無線アクセスシステムの判定を行い、移動通信局内の切替先ＭＴＦ判別を行う（図６のステップＳ１及び図７のステップＳＴ５０，ＳＴ５１→ＳＴ５２）。
ここで、ＨＡＮＤＯＶＥＲ  ＦＲＯＭ  ＵＴＲＡＮ  ＣＯＭＭＡＮＤメッセージＩＭ１ａには、３ＧＰＰ  ＴＳ２５．３３１で規定されているように、切替先無線アクセスシステムで使用する通信パラメータ情報が含まれている。この通信パラメータは、少なくとも音声ＣＯＤＥＣの種別、あるいは、通信速度の少なくとも一方の情報を含んでいる。
無線回線制御部（ＭＴＦ１）１は、ハンドオーバ処理の起動、及び、切替先ＭＴＦ判別とともに、その無線信号内に含まれている切替先無線アクセスシステムで使用する通信パラメータ情報を記憶する（図７のステップＳＴ５２）。
次に、無線回線制御部（ＭＴＦ２）２に対してハンドオーバ開始通知メッセージＮＴ１を送信する（図７のステップＳＴ５３）。無線回線制御部（ＭＴＦ１）１は、現在通信中である共通アダプタ部（ＴＡＦ）３に対して、記憶した通信パラメータと、切替先のＭＴＦ情報を含めたＭＴＦ切替要求メッセージＲＱ１ａを通知する（図７のステップＳＴ５４）。その後は、実施の形態１で示した無線回線制御部（ＭＴＦ１）１と同じ動作をとる。
無線回線制御部（ＭＴＦ２）２の動作も実施の形態１で示したものと同じ動作をとる。
共通アダプタ部（ＴＡＦ）３は、無線回線制御部（ＭＴＦ１）１からＭＴＦ切替要求メッセージＲＱ１ａを受信すると、このメッセージに含まれる切替先無線アクセスシステムで使用される通信パラメータを記憶し、切替先ＭＴＦの情報により、切替先ＭＴＦの判別を行うとともに、切替元ＭＴＦと共通アダプタ部（ＴＡＦ）３間のユーザデータ（Ｕ−ｐｌａｎｅ）の通信を中断する（図６のステップＳ３ａ及び図８のステップＳＴ７０、ＳＴ７１→ＳＴ７２）。
次に、共通アダプタ部（ＴＡＦ）３は無線回線制御部（ＭＴＦ１）１に対してＭＴＦ切替応答メッセージＲＰ１を送信し、無線回線制御部（ＭＴＦ１）１にＭＴＦ切替応答メッセージＲＰ２を切替先ＭＴＦである無線回線制御部（ＭＴＦ２）２に対して送信させる（図８のステップＳＴ７３）。
共通アダプタ部（ＴＡＦ）３で無線回線制御部（ＭＴＦ２）２からのＭＴＦ切替完了メッセージＮＴ３を受信すると、記憶していた切替先無線アクセスシステムで使用される通信パラメータに従って通信内容の設定、例えば音声ＣＯＤＥＣ種別、通信速度などの設定を行い、中断していたユーザデータ（Ｕ−ｐｌａｎｅ）の通信を切替先ＭＴＦである無線回線制御部（ＭＴＦ２）２との間で再開し、移動通信局内でのハンドオーバ処理が完了する（図６のステップＳ５ａ及び図８のステップＳＴ７４〜ＳＴ７６）。
本実施の形態に係る移動通信局、通信方法及び通信システムによれば、共通アダプタ部（ＴＡＦ）３は、通信パラメータの情報に基づいて通信に関する設定を変更した上で、無線回線制御部（ＭＴＦ１）１から無線回線制御部（ＭＴＦ２）２への間の通信に切り替える。よって、切替元と切替先とで通信に関する設定が異なる場合であっても、異方式間でのハンドオーバを適切に行うことが可能となる。
実施の形態３．
本実施の形態も、実施の形態１に係る移動通信局、通信方法及び通信システムの変形例であって、ハンドオーバが失敗した場合、切替元の無線アクセスシステムへと切り戻るようにしたものである。
図９は、本実施の形態でのシーケンスフローを示す図である。図１０は、図９で示したシーケンスフロー図において無線回線制御部（ＭＴＦ１）１の処理内容を示すフローチャートである。図１１は図９で示したシーケンスフロー図において無線回線制御部（ＭＴＦ２）２の処理内容を示すフローチャートである。図１２は図９で示したシーケンスフロー図において共通アダプタ部（ＴＡＦ）３の処理内容を示すフローチャートである。なお、図１０の無線回線制御部（ＭＴＦ１）１のフローチャート、図１１の無線回線制御部（ＭＴＦ２）２のフローチャート、及び図１２の共通アダプタ部（ＴＡＦ）３のフローチャート図において、ハンドオーバが成功する処理は実施の形態１で示したので各フローチャート図内では省略する。
次に動作について説明する。なお、実施の形態１と同様の動作については、説明を適宜省略する。
図９において、切替元ＭＴＦである無線回線制御部（ＭＴＦ１）１が移動ネットワーク（ＮＷ１）７からハンドオーバを起動するための無線信号、例えば３ＧＰＰ  ＴＳ２５．３３１で規定されるＨＡＮＤＯＶＥＲ  ＦＲＯＭ  ＵＴＲＡＮ  ＣＯＭＭＡＮＤメッセージＩＭ１を受信すると、無線回線制御部（ＭＴＦ１）１はハンドオーバ処理を起動し、切替先の無線アクセスシステムの判定を行い、移動通信局内の切替先ＭＴＦ判別を行う（図９のステップＳ１及び図１０のステップＳＴ８０，ＳＴ８１→ＳＴ８２）。
続いて、無線回線制御部（ＭＴＦ１）１及び無線回線制御部（ＭＴＦ２）２間でハンドオーバ処理が開始される（図９のステップＳ２）。本実施の形態では、移動ネットワーク（ＮＷ２）８が含まれる第二の無線アクセスシステムに属する無線回線制御部（ＭＴＦ２）２が切替先ＭＴＦとなるため、無線回線制御部（ＭＴＦ１）１は、無線回線制御部（ＭＴＦ２）２に対してハンドオーバ開始通知メッセージＮＴ１を送信する（図１０のステップＳＴ８３）。
また、無線回線制御部（ＭＴＦ１）１は、現在通信中である共通アダプタ部（ＴＡＦ）３に対して切替先のＭＴＦ情報を含めたＭＴＦ切替要求メッセージＲＱ１を送信する（図１０のステップＳＴ８４）。
切替先ＭＴＦである無線回線制御部（ＭＴＦ２）２が、無線回線制御部（ＭＴＦ１）１からハンドオーバ処理開始を通知するためのハンドオーバ開始通知メッセージＮＴ１を受信すると、ハンドオーバ処理を開始し、無線回線制御部（ＭＴＦ２）２は、移動ネットワーク（ＮＷ２）８に対して無線アクセスシステムを切り替えるための無線信号、例えば３ＧＰＰ  ＴＳ０４．１８で規定されるＨＡＮＤＯＶＥＲ  ＡＣＣＥＳＳメッセージＩＭ２ａ〜ＩＭ２ｄを送信する（図１１のステップＳＴ１００，ＳＴ１０１→ＳＴ１０２）。なお、３ＧＰＰ  ＴＳ０４．１８ではこのメッセージは４回送信するが省略される場合もある。
そして、共通アダプタ部（ＴＡＦ）３は、無線回線制御部（ＭＴＦ１）１からＭＴＦ切替要求メッセージＲＱ１を受信すると、そのメッセージに含まれる切替先ＭＴＦ情報により、切替先ＭＴＦの判別を行うとともに、切替元ＭＴＦと共通ＴＡＦ間のユーザーデータ（Ｕ−ｐｌａｎｅ）の通信を中断する（図１２のステップＳＴ１１１、ＳＴ１１２）。
次に、共通アダプタ部（ＴＡＦ）３は、無線回線制御部（ＭＴＦ１）１に対してＭＴＦ切替応答メッセージＲＰ１を送信し、無線回線制御部（ＭＴＦ１）１にＭＴＦ切替応答メッセージＲＰ２を切替先ＭＴＦである無線回線制御部（ＭＴＦ２）２に対して送信させる（図１２のステップＳＴ１１３）。
無線回線制御部（ＭＴＦ２）２と移動ネットワーク（ＮＷ２）８との間でハンドオーバ処理が失敗すると、無線回線制御部（ＭＴＦ２）２は、移動ネットワーク（ＮＷ２）８に対してハンドオーバが失敗したことを通知する無線信号、例えば３ＧＰＰ  ＴＳ０４．１８で規定されるＨＡＮＤＯＶＥＲ  ＦＡＩＬＵＲＥメッセージＩＭ３ａを送信する。なお、ハンドオーバの失敗内容によっては、この無線信号は省略されることもある。
その後、無線回線制御部（ＭＴＦ２）２は、切替元ＭＴＦである無線回線制御部（ＭＴＦ１）１に対してハンドオーバ失敗通知メッセージＮＴ２ａを送信する（図１１のステップＳＴ１０１、ＳＴ１０５）。
なお、無線回線制御部（ＭＴＦ１）１と無線回線制御部（ＭＴＦ２）２とが論理的に移動通信局内に存在する場合は、このハンドオーバ失敗通知メッセージＮＴ２ａを送信せずにハンドオーバ失敗を無線回線制御部（ＭＴＦ１）１に通知することも可能である。ソフトウェア上で、ハンドオーバ失敗を無線回線制御部（ＭＴＦ１）１から無線回線制御部（ＭＴＦ２）２に通知することが可能だからである。
無線回線制御部（ＭＴＦ１）１は無線回線制御部（ＭＴＦ２）２からのハンドオーバ失敗通知メッセージＮＴ２ａを受信すると、切替元無線アクセスシステムの移動ネットワーク（ＮＷ１）７への切り戻り処理を行うとともに、移動ネットワーク（ＮＷ１）７に対してハンドオーバが失敗したことを通知する無線信号、例えば３ＧＰＰ  ＴＳ２５．３３１で規定されるＨＡＮＤＯＶＥＲ  ＦＲＯＭ  ＵＴＲＡＮ  ＦＡＩＬＵＲＥメッセージＩＭ３ｂを送信し、共通アダプタ部（ＴＡＦ）３に対してＭＴＦ切替失敗メッセージＮＴ３ａを送信する（図１０のステップＳＴ８６、ＳＴ８７）。
共通アダプタ部（ＴＡＦ）３で無線回線制御部（ＭＴＦ１）１からのＭＴＦ切替失敗メッセージＮＴ３ａを受信すると、中断していたユーザデータ（Ｕ−ｐｌａｎｅ）の通信を切替元ＭＴＦである無線回線制御部（ＭＴＦ１）１との間で再開し、移動局内でのシステム間ハンドオーバ失敗時の切り戻り処理が完了する（図９のステップＳ５及び図１２のステップＳ１１４〜Ｓ１１６）。
なお、図１０のステップＳＴ８８及び図１１のステップＳＴ１０６における「ハンドオーバ準正常処理」とは、ハンドオーバ失敗時の切り戻りに要する復元処理のことを指す。
その他の動作については、実施の形態１の場合と同様であるので、説明を省略する。
本実施の形態に係る移動通信局、通信方法及び通信システムによれば、無線回線上のハンドオーバ処理が完了せず、失敗したときには、無線回線制御部（ＭＴＦ１）１は、ハンドオーバ処理失敗の通知を受けて、対応する移動ネットワーク（ＮＷ１）７との間で通信を行って切り戻り処理を行い、共通アダプタ部（ＴＡＦ）３は、無線回線制御部（ＭＴＦ１）１からハンドオーバ処理失敗の通知を受けて、無線回線制御部（ＭＴＦ１）１との間の通信を再開する。これにより、たとえハンドオーバ処理が失敗した場合であっても、通信の継続が行える場合がある。
実施の形態４．
本実施の形態は、例えば非特許文献２に規定されたＲａｄｉｏ  Ｉｎｔｅｒｆａｃｅ  Ｐｒｏｔｏｃｏｌ  Ａｒｃｈｉｔｅｃｔｕｒｅのように、非特許文献１に規定されたＭＴ−ＴＡ  Ｉｎｔｅｒｆａｃｅ仕様を採用しない移動通信局、当該移動通信局を用いた通信方法、及び、当該移動通信局を含む通信システムであって、異なる無線通信方式のＭＴＦ間でのハンドオーバを行うことが可能であり、かつ、ハンドオーバ時の不快なノイズをユーザの耳に届けないようにしたものである。
図１３は、ＭＴ−ＴＡ  Ｉｎｔｅｒｆａｃｅ仕様を採用しない移動通信局１１及びその通信システムの構成例を示す図である。図１３において、第一の無線アクセスシステムの移動ネットワーク（ＮＷ１）７と通信するための無線回線制御部の一部１３、及び、第二の無線アクセスシステムの移動ネットワーク（ＮＷ２）８と通信するための無線回線制御部の一部１４は、例えば３ＧＰＰ  ＴＳ２５．３０１で規定されるＡｃｃｅｓｓ  Ｓｔｒａｔｕｍを終端する部位である。
また、第一及び第二の無線アクセスシステムに共通となる無線回線制御部１２は、例えば３ＧＰＰ  ＴＳ２５．３０１で規定されるＮｏｎ−Ａｃｃｅｓｓ  Ｓｔｒａｔｕｍを終端する部位である。そして、共通無線回線制御部１２と無線回線制御部の一部１３とが第一の無線アクセスシステムの無線回線制御部１５を構成し、共通無線回線制御部１２と無線回線制御部の一部１４とが第二の無線アクセスシステムの無線回線制御部１６を構成する。
移動通信局１１内での音声通信機能を司る音声通信制御部１７は、第一及び第二の無線アクセスシステムに共通となる無線回線制御部１２に接続されるとともに、音声ＣＯＤＥＣ１０とも接続される。なお、本構成例では音声通信制御部１７と音声ＣＯＤＥＣ１０とを別の部位として示しているが、音声通信制御部１７の中に音声ＣＯＤＥＣ１０があってもよい。
移動通信局１１には、非音声通信、例えばパケット通信、ＭＯＤＥＭ通信などの通信機能を司る非音声通信制御部１８、及び、音声・非音声通信以外の機能を司るその他の機能部１９も設けられている。そして、音声通信制御部１７及び非音声通信制御部１８には、ＴＥ（ＨＭＩ）５が接続されている。
次に、動作について説明する。
図１４は、本実施の形態に係る移動通信局１１が異方式間ハンドオーバを行う際の処理内容を示すシーケンスフロー図である。図１４においては、音声通信制御部１７が、第一の無線アクセスシステムの無線回線制御部１５を介して第一の無線アクセスシステムの移動ネットワーク（ＮＷ１）７と音声通信中である状態から、第二の無線アクセスシステムの無線回線制御部１６を介して第二の無線アクセスシステムの移動ネットワーク（ＮＷ２）８と音声通信を行う状態へとハンドオーバを行う場合が示されている。
図１４に示されているように、音声通信制御部１７と第一の無線アクセスシステムの無線回線制御部１５との間、及び、音声通信制御部１７と第二の無線アクセスシステムの無線回線制御部１６との間の動作については、実施の形態１で示した共通アダプタ部（ＴＡＦ）３と無線回線制御部（ＭＴＦ１）１との間の動作、及び、共通アダプタ部（ＴＡＦ）３と無線回線制御部（ＭＴＦ２）２との間の動作と同じである。よって、ここではハンドオーバ処理の詳細な説明を割愛し、本実施の形態に特徴的な動作についてのみ、以下で説明する。
音声通信制御部１７がＭＴＦ切替要求メッセージＲＱ１ａ（ここには、ＭＴＦ切替要求メッセージのみならず、切り替え先で使用する音声ＣＯＤＥＣ種別や音声符号化ビットレート、音声ＣＯＤＥＣで使用されるパラメータの情報も加わっている）を受信すると、切替元となる無線回線制御部１５と音声通信制御部１７間のユーザデータ（Ｕ−ｐｌａｎｅ）の通信を中断する（図１４のステップＳ７）。それとともに、音声通信制御部１７は、無線回線制御部１５から通知された、切替先無線アクセスシステムで使用される音声ＣＯＤＥＣ種別、音声符号化ビットレート、及び音声ＣＯＤＥＣパラメータの情報を記憶する。
そして、音声通信制御部１７は、音声ＣＯＤＥＣ１０に対して音声を出力しないようミュート制御し、記憶したこれらの情報を音声ＣＯＤＥＣ１０に通知するための音声ＣＯＤＥＣ制御メッセージＮＴ４を音声ＣＯＤＥＣ１０に通知する。
音声ＣＯＤＥＣ１０は、音声ＣＯＤＥＣ制御メッセージＮＴ４を受信すると、その内容に従って音声ＣＯＤＥＣ１０のミュートを行うとともに、切替先無線アクセスシステムで使用される音声ＣＯＤＥＣ種別、音声符号化ビットレート、及び音声ＣＯＤＥＣパラメータに従って、音声ＣＯＤＥＣの設定を行う（図１４のステップＳ８）。
音声通信制御部１７がＭＴＦ切替完了メッセージＮＴ３を受信すると、切替先となる無線回線制御部１６と音声通信制御部１７との間のユーザデータ（Ｕ−ｐｌａｎｅ）の通信を再開する（図１４のステップＳ９）とともに、音声ＣＯＤＥＣ１０のミュートを終了するための音声ＣＯＤＥＣ制御メッセージＮＴ５を音声ＣＯＤＥＣ１０に通知する。
音声ＣＯＤＥＣ１０は、音声ＣＯＤＥＣ制御メッセージＮＴ５を受信すると、その内容に従って、音声ＣＯＤＥＣのミュートを終了し、切替先無線アクセスシステムとの間で音声通信が再開する。
図１５は、図１３及び図１４に示した音声ＣＯＤＥＣ１０の処理例を示すフローチャートである。図１５において、音声ＣＯＤＥＣ１０が音声ＣＯＤＥＣ制御メッセージＮＴ４を受信すると、その制御メッセージ内容の解析を行う（図１５のステップＳＴ１２０，ＳＴ１２１，ＳＴ１２２，ＳＴ１２４及びＳＴ１２６）。音声ＣＯＤＥＣ制御メッセージＮＴ４内に、音声ＣＯＤＥＣ１０のミュート開始またはミュート終了の指示がある場合はそれぞれの処理を行う（図１５のステップＳＴ１２３、ＳＴ１２７）。
音声ＣＯＤＥＣ１０において設定すべきパラメータの情報が音声ＣＯＤＥＣ制御メッセージＮＴ４内にある場合は、その内容に従って音声ＣＯＤＥＣ１０の設定処理を行う（図１５のステップＳＴ１２５）。そして、設定処理が終了すれば、ステップＳＴ１２１の判定処理に戻る。
また、ステップＳＴ１２１で音声ＣＯＤＥＣ制御イベントではないと判断された場合には、音声ＣＯＤＥＣ制御以外のその他の処理を行って（図１５のステップＳＴ１２８）、ステップＳＴ１２１の判定処理に戻る。
本実施の形態に係る移動通信局、通信方法及び通信システムによれば、無線回線制御部１５が、対応する移動ネットワーク（ＮＷ１）７からハンドオーバ要求を受けた場合に、無線回線制御部１６が、対応する移動ネットワーク（ＮＷ２）８との間で通信を行って無線回線上のハンドオーバ処理を完了する。そして、音声通信制御部１７は、音声ＣＯＤＥＣ１０が音声を出力しないようミュート制御し、無線回線上のハンドオーバ処理が完了すれば、無線回線制御部１６と音声通信制御部１７との間の通信に切り替えて、音声ＣＯＤＥＣ１０に対するミュート制御を解除する。よって、ハンドオーバ時の不快なノイズをユーザの耳に届けることがない。
この発明は詳細に説明されたが、上記した説明は、すべての局面において、例示であって、この発明がそれに限定されるものではない。例示されていない無数の変形例が、この発明の範囲から外れることなく想定され得るものと解される。
【産業上の利用の可能性】
この発明は、異方式の無線回線制御部を複数含む通信機器に利用可能であり、例えば携帯電話機やトランシーバ、ＰＤＡ（Ｐｅｒｓｏｎａｌ  Ｄｉｇｉｔａｌ  Ａｓｓｉｓｔａｎｃｅ）、ノートパソコン等の通信機器に応用できる。
【図１】
2005004353.tif 000003
【図２】
2005004353.tif 000004
【図３】
2005004353.tif 000005
【図４】
2005004353.tif 000006
【図５】
2005004353.tif 000007
【図６】
2005004353.tif 000008
【図７】
2005004353.tif 000009
【図８】
2005004353.tif 000010
【図９】
2005004353.tif 000011
【図１０】
2005004353.tif 000012
【図１１】
2005004353.tif 000013
【図１２】
2005004353.tif 000014
【図１３】
2005004353.tif 000015
【図１４】
2005004353.tif 000016
【図１５】
2005004353.tif 000017
【国際調査報告】
2005004353.tif 000018
2005004353.tif 000019
2005004353.tif 000020
2005004353.tif 000021